(57)【特許請求の範囲】
【請求項１】
液晶表示による非発光表示にバックライト等の補助光源が与えられて形成される表示画面部に配置され、該表示画面部から発せられる光束の透過と遮蔽を制御する遮蔽制御部と、
該遮蔽制御部を形成する液晶素子部の一方の板面側に形成された透明電極でなる第１電極と、
前記遮蔽制御部を形成する液晶素子部の他方の板面側に形成され、かつ所定の開口部を有して形成された反射電極でなる第２電極と、
前記遮蔽制御部によって透過制御されたときに前記第１電極を透過し、かつ前記開口部を透過して前記表示画面を視認し得る状態とし、前記遮蔽制御部によって遮蔽制御されたときに前記第２電極の反射膜によって鏡面が形成されるように制御される制御手段とを有する表示装置を備えることを特徴とする携帯電話機。
【請求項２】
前記第１電極は、前記遮蔽制御部の板面の前記表示画面部の側に形成されるように構成する表示装置を備えることを特徴とする請求項１に記載の携帯電話機。
【請求項３】
表示画面部の前方に配設され、該表示画面部から発せられる光束の透過と発光を制御するＥＬ制御式マジックミラーと、
該ＥＬ制御式マジックミラーの透明発光部を形成するＥＬ発光素子部と、
該ＥＬ発光素子部の一方の板面側に形成された透明電極でなる第１電極と、
前記ＥＬ発光素子部の他方の板面側に形成され、かつ所定の開口部を有して形成された複数の反射電極でなる第２電極と、
前記ＥＬ発光素子部が発光停止制御されたときに前記第１電極を透過し、前記ＥＬ発光素子部を透過し、かつ前記第２電極の前記開口部を透過して前記表示画面を視認し得る状態とし、前記ＥＬ発光素子部が発光制御されたときに前記表示画面を視認し得えない状態にすると共に、前記第２電極の反射膜によって鏡面が形成され、かつ前記複数の反射電極と前記第１電極とを任意に組み合わせた部位による発光表示をし得るように制御する制御手段とを有する表示装置を備えることを特徴とする携帯電話機。
【請求項４】
前記第１電極は、前記ＥＬ制御式マジックミラーの板面の前記表示画面の側に形成されることを特徴とする請求項３に記載の携帯電話機。
【請求項５】
請求項１乃至４のいずれかに記載された表示装置が、文字や画像を表示する表示部に適用されていることを特徴とする携帯電話機。
【請求項６】
前記表示装置は、携帯電話機の外表面に形成されていることを特徴とする請求項１乃至５のいずれかに記載の携帯電話機。
【発明の詳細な説明】
【０００１】
【発明の属する技術分野】
本発明は、ＣＲＴ表示器、有機物質を用いたＥＬ発光表示器、プラズマディスプレイ、ＳＴＮ液晶表示器、ＴＦＤ液晶表示器、ＴＦＴ液晶表示器等々の表示装置表示装置及びそれを用いた携帯電話機に関する。
【０００２】
【従来の技術】
ＴＶ受像機、ＰＣ画像モニタ、携帯電話機機等々の電子機器に用いられている表示装置は、所定の表示画面を再現させる以外には用途がなく、例えば、家庭用のＴＶ装置の場合には、ＴＶ放送の受信画像やＶＴＲの再生画像のモニタとして使用する以外には用途がないものであった。
【０００３】
また、このような表示装置は、その表示がＣＲＴ発光、ＥＬ発光、プラズマ発光等のような自発光型で構成される場合と、ＳＴＮ、ＴＦＤ、ＴＦＴ等の液晶のような非発光型で構成される場合がある。
【０００４】
この非発光型の表示装置は、表示部の前面から入射される外部光によって反射表示形式で視認することができ、また、表示部の背面および／または側面から与えられるバックライトおよび／またはサイドライトによる補助光によって表示を視認することができる。
【０００５】
【発明が解決しようとする課題】
従来の表示装置は、ＴＶ放送の受信画像やＶＴＲの再生画像等々の本来の画像モニタや所定の文字や絵柄を表示する表示器として使用する以外には用途がないものであり、機器本来の表示を行っていないときにはその有効利用がされていないという問題がある。この問題は、表示部を有する携帯電話機においても同様である。
【０００６】
そこで、本発明の目的は、本来の画像モニタとして使用することができると共に、使用していないときにも当該表示器を有効に活用することができる表示装置及びそれを用いた携帯電話機を提供することにある。
【０００７】
【課題を解決するための手段】
前記課題を解決するために、本発明による表示装置及びそれを用いた携帯電話機は、次のような特徴的な構成を採用している。
【０００８】
（１）液晶表示による非発光表示にバックライト等の補助光源が与えられて形成される表示画面部に配置され、該表示画面部から発せられる光束の透過と遮蔽を制御する遮蔽制御部と、
該遮蔽制御部を形成する液晶素子部の一方の板面側に形成された透明電極でなる第１電極と、
前記遮蔽制御部を形成する液晶素子部の他方の板面側に形成され、かつ所定の開口部を有して形成された反射電極でなる第２電極と、
前記遮蔽制御部によって透過制御されたときに前記第１電極を透過し、かつ前記開口部を透過して前記表示画面を視認し得る状態とし、前記遮蔽制御部によって遮蔽制御されたときに前記第２電極の反射膜によって鏡面が形成されるように制御される制御手段とを有する表示装置を備える携帯電話機。
【０００９】
（２）前記第１電極は、前記遮蔽制御部の板面の前記表示画面部の側に形成されるように構成する表示装置を備える上記（１）の携帯電話機。
【００１０】
（３）表示画面部の前方に配設され、該表示画面部から発せられる光束の透過と発光を制御するＥＬ制御式マジックミラーと、
該ＥＬ制御式マジックミラーの透明発光部を形成するＥＬ発光素子部と、
該ＥＬ発光素子部の一方の板面側に形成された透明電極でなる第１電極と、
前記ＥＬ発光素子部の他方の板面側に形成され、かつ所定の開口部を有して形成された複数の反射電極でなる第２電極と、
前記ＥＬ発光素子部が発光停止制御されたときに前記第１電極を透過し、前記ＥＬ発光素子部を透過し、かつ前記第２電極の前記開口部を透過して前記表示画面を視認し得る状態とし、前記ＥＬ発光素子部が発光制御されたときに前記表示画面を視認し得えない状態にすると共に、前記第２電極の反射膜によって鏡面が形成され、かつ前記複数の反射電極と前記第１電極とを任意に組み合わせた部位による発光表示をし得るように制御する制御手段とを有する表示装置を備える携帯電話機。
【００１１】
（４）前記第１電極は、前記ＥＬ制御式マジックミラーの板面の前記表示画面の側に形成される上記（３）の携帯電話機。
【００１２】
（５）上記（１）乃至（４）のいずれかに記載された表示装置が、文字や画像を表示する表示部に適用されている携帯電話機。
【００１３】
（６）前記表示装置は、携帯電話機の外表面に形成されている上記（１）乃至（５）のいずれかの携帯電話機。
【００２２】
【発明の実施の形態】
以下、本発明の実施の形態について図面を用いて詳細に説明する。先ず、本発明の第１の実施の形態について図１を用いて説明する。
【００２３】
図１において、所定の画像をドットマトリクス方式で表示するための液晶表示装置は、ガラス基板１とガラス基板２の間隙がスペーサ３を介在させることによって所定値に保たれた状態で密封空間とされ、この空間に液晶素子部４が封入され、液晶素子部４に対する電極部（図示せず）に制御部３０から所定の駆動信号を印加することによって所定の画像をドットマトリクスで液晶表示させることができる。ここで、ガラス基板１，２はガラス部材以外の部材を用い得ることは勿論であり、例えば、プラスチック部材であっても良いことは明らかである。以下の実施形態でも同様である。
【００２４】
この場合、当該の液晶表示は非発光形式であるために、ガラス基板２の背面側に補助照明部材５が密接して設けられ、これに白熱ランプ、蛍光灯、ＬＥＤ、ＥＬ発光素子等々からの側面光束５ａと背面光束５ｂが導入されることによって液晶素子部４の全面に亘る均等照明が与えられるように構成されている。
【００２５】
このような液晶表示装置の表示画面部の前方には、そこから発せられる光束の透過と遮蔽が制御される遮蔽制御部７が密接して設けられている。この遮蔽制御部７は、ガラス基板８とガラス基板９の間隙がスペーサ３を介在させることによって所定値に保たれた状態で密封空間とされ、この空間に液晶素子部１１が封入され、液晶素子部１１に対する電極部（図示せず）に、制御部３０から所定の駆動信号を印加することによって完全透過状態と完全遮蔽状態の２通りの状態に制御され得るように構成されている。ここで、液晶素子部４や１１は、周知の如く、電界による複屈折効果の変化を偏光板を用いて光変調を行うモード（例えば、ＴＮモード）のものと、偏光板を用いずに光散乱を利用するモード（例えば、高分子分散型）のものがあるが、上述作用を為すものであれば、モードに限定されないことは明らかである。これは、以下の実施形態においても同様である。
【００２６】
この遮蔽制御部７の前方、即ちガラス基板８の前面には、外光成分Ｐの大部分を反射光成分Ｑとして反射し、残りの部分を透過するマジックミラー６が密接して設けられている。ここで、マジックミラー６は、上述の特性を呈する部材から成るものであれば、材料に限定されず、例えば、ハーフミラーを用いることができる。ハーフミラーは、周知の如く、透明基板の上にクロム等の金属を蒸着、メッキ等により形成したり、誘電体多層膜を形成することにより得られる。上記マジックミラーの配設は薄膜形成の他に貼り付け等の任意の手段で行うことができることは勿論である。このことは、以下の実施形態においても同様である。
【００２７】
従って、液晶素子部４による表示を視認しようとする場合、即ち表示装置を通常形態で使用する場合には、液晶素子部４に対して電極部を介して正規の画像信号に対応する駆動信号を印加することによって正規画像が再現される。
【００２８】
これと同時に、遮蔽制御部７の液晶素子部１１を制御して透明状態に制御することによって、液晶素子部４に形成される液晶画像に補助照明部材５の照明がなされた透過光成分Ｒがガラス基板１、ガラス基板９、液晶素子部１１、ガラス基板８を介してマジックミラー６を透過した透過光成分Ｒがマジックミラー６の前方に放射されることによって液晶素子部４の画像表示を視認することができる。
【００２９】
このとき、外光成分Ｐは、一般的には透過光成分Ｒより充分に小さいのでその反射光成分Ｑは無視できる状態とされる。
【００３０】
一方、液晶素子部４による表示を視認しない場合、即ち表示装置を通常形態で使用しない場合には、遮蔽制御部７の液晶素子部１１を制御して遮蔽状態に制御することによって、マジックミラー６の後面が遮蔽されることになり液晶素子部４からの透過光成分Ｒは完全に遮断され、外光成分Ｐが反射光成分Ｑとして反射される鏡面が形成される。
【００３１】
従って、表示装置を使用しないときには表示画面が鏡面とされるので表示装置の有効利用を図ることができる。また、本形態は本来の画像表示を行うための表示装置が液晶式で構成されているが、図２に示すようにＣＲＴ表示部１２の前面（表示画面）に図１に示すと同様の遮蔽制御部７とマジックミラー６を設けるようにしてもよい。
【００３２】
この場合には、ＣＲＴ表示部１２による表示を視認しようとする場合、即ち表示装置を通常形態で使用する場合には、ＣＲＴ表示部１２に対して正規の画像信号に対応する駆動信号が印加されることによって正規画像が再現される。
【００３３】
これと同時に、遮蔽制御部７の液晶素子部１１を制御して透明状態に制御することによって、ＣＲＴ表示部１２に形成される液晶画像の透過光成分Ｒがガラス基板１、ガラス基板９、液晶素子部１１、ガラス基板８を介してマジックミラー６を透過した透過光成分Ｒがマジックミラー６の前方に放射されることによってＣＲＴ表示部１２の画像表示を視認することができる。
【００３４】
このとき、外光成分Ｐは、一般的には透過光成分Ｒより充分に小さいのでその反射光成分Ｑは無視できる状態とされる。
【００３５】
一方、ＣＲＴ表示部１２による表示を視認しない場合、即ち表示装置を通常形態で使用しない場合には、遮蔽制御部７の液晶素子部１１を制御して遮蔽状態に制御することによって、マジックミラー６の後面が遮蔽されることになりＣＲＴ表示部１２からの透過光成分Ｒは完全に遮断され、外光成分Ｐが反射光成分Ｑとして反射される鏡面が形成されるのである。
【００３６】
次に、本発明の第２の実施の形態について図３を用いて詳細に説明する。図３に示す液晶式マジックミラー１３は、自発光式または非発光式の表示画面の前面に配設され、表示画面から発せられる光束の透過と遮蔽が制御される遮蔽制御の機能とマジックミラーの機能を兼ね備えている。
【００３７】
この液晶式マジックミラー１３は、ガラス基板１４とガラス基板１５の間隙がスペーサ１６を介在させることによって所定値に保たれた状態で密封空間とされ、この空間に液晶素子部１７が封入されると共に、液晶素子部１７に対して一方の板面側に形成された透明電極でなる第１電極が、透明電極１５ａとして形成されている。
【００３８】
また、液晶式マジックミラー１３のガラス基板１４の内面には、所定の開口部を有して形成された反射電極でなる第２電極が、反射電極１４ａとして形成されている。この反射電極１４ａ，１４ａ・・・は、複数の帯状電極が所定の開口を有する多数で形成されている。
【００３９】
従って、表示装置による表示画面を視認しようとする場合、即ち表示装置を通常形態で使用する場合には、反射電極１４ａと透明電極１５ａの間に所定の駆動信号が印加されることによって液晶素子部１７が透明状態に制御され、表示画面からの透過光成分Ｒが、ガラス基板１５、透明電極１５ａ、液晶素子部１７を介して液晶素子部１７の前方に放射される。
【００４０】
この放射は、微視的に見ると反射電極１４ａ，１４ａ・・の形成部位では遮断されその開口部分を透過するものであるが、このとき、外光成分Ｐは、一般的には透過光成分Ｒより充分に小さいので、反射電極１４ａ，１４ａ・・の形成部位によって生成される反射光成分Ｑは無視できる状態とされ、全体として見ると実質的な透過面ということができる。
【００４１】
一方、表示装置の表示画面を視認しない場合、即ち表示装置を通常形態で使用しない場合には、液晶素子部１７の反射電極１４ａと透明電極１５ａに駆動信号を印加することによって液晶素子部１７を遮蔽状態に制御することによって、表示画面からの透過光成分Ｒは完全に遮断され、外光成分Ｐが多数の反射電極１４ａ，１４ａ・・によって形成される実質的な鏡面で反射された反射光成分Ｑとなる。
【００４２】
従って、表示装置を使用しないときには表示画面が鏡面とされるので表示装置の有効利用を図ることができる。また、本形態は本来の画像表示を行うための表示装置が液晶式で構成されているがブラウン管等の自発光表示するものであってもよい。
【００４３】
次に、本発明の第３の実施の形態を図４を用いて説明する。図４において、表示装置の表示画面部の前方に配設されるＥＬ制御式マジックミラー１８は、表示画面部から発せられる光束の透過と発光を制御するためのもので、透明なガラス基板１９の上面に透明電極２１が形成され、その上面にＥＬ発光素子部２０が形成されている。
【００４４】
このＥＬ発光素子部２０は、電圧の非印加時に略透過状態となる厚みを有するように薄膜形成され、電圧印加時に所定の発光を行う透明発光部として構成されている。このＥＬ発光素子部２０には、その一方の板面側に形成された複数の透明電極２１でなる第１電極と、他方の板面側に形成され、かつ所定の開口部を有して形成された複数の反射電極２２，２２・・・でなる第２電極が形成されている。
【００４５】
従って、ＥＬ発光素子部２０が発光停止制御、即ち、透明電極２１とミラー電極２２，２２・・・の間に信号電圧印加がない状態に制御されたときには、液晶ディスプレイ（図示せず）の表示画面部からの透過光成分Ｒが、ガラス基板１９、透明電極２１、ＥＬ発光素子部２０を順次に透過する。
【００４６】
このＥＬ発光素子部２０を透過する光束はその一部が「ミラー電極２２，２２・・・の間に形成されるストライプ状の開口」を透過し、当該の表示画面を視認することができる。
【００４７】
この場合、微視的に見ると、透過光成分Ｒがミラー電極２２によって部分的に遮蔽されることになり、このミラー電極２２がミラーとして形成されるために表示画面中に透過部分と遮蔽部分が存在することになるが、前述の開口部の形成比率を適切に設定することによって違和感のない表示を視認することができる。
【００４８】
一方、ＥＬ制御式マジックミラー１８が取り付けられた液晶ディスプレイ（図示せず）の表示画面が全くない場合、即ち表示画面が全黒状態の場合には、透過光成分Ｒがなく、ＥＬ制御式マジックミラー１８の前面からの外光成分Ｐがミラー電極２２，２２・・・によって反射される反射光成分Ｑが大部分とされるのでＥＬ制御式マジックミラー１８がミラーとして機能する。
【００４９】
この場合、微視的に見ると、外光成分Ｐがミラー電極２２によって部分的にミラー化されることになり、開口部分は実質的な遮蔽部として形成されるために観察画面中にミラー部分と遮蔽部分が存在することになるが、前述の開口部の形成比率とミラー電極２２のミラー率とを適切に設定することによって違和感のないミラー表示とすることができる。
【００５０】
このような状態のときに、透明電極２１とミラー電極２２によって形成されるドットマトリクス表示を行うような駆動信号を供給することによって前述の表示画面とは全く独立した補助表示、例えば時刻表示を行うことができ、その補助表示を行わないときには全面がミラーとされ、補助表示を行う場合には、ミラー背景の中に補助表示がなされた画面を視認させることができる。
【００５１】
なお、ミラー電極２２，２２・・・と透明電極２１の位置関係は、逆であってもよく、即ち、ＥＬ発光素子部２０の後方にミラー電極２２を設け、ＥＬ発光素子部２０の前方に透明電極２１を設けるようにしてもよい。
【００５２】
次に、本発明の第４の実施の形態について図５を用いて詳細に説明する。図５において、所定の画像を表示するための液晶表示部２３は、ガラス基板２５とガラス基板２６の間隙がスペーサ２７を介在させることによって所定値に保たれた状態で密封空間とされ、この空間に液晶素子部２８が封入され、液晶素子部２８の有する電極部（図示せず）に所定の駆動信号を印加することによって所定の画像を液晶表示させることができる。
【００５３】
この場合、当該の液晶表示は非発光形式であるために、ガラス基板２６の背面側に照明板２９が密接して設けられ、これに白熱ランプ、蛍光灯、ＬＥＤ、ＥＬ発光素子等々からの側面光束と背面光束が導入されるように構成されている。
【００５４】
このような液晶表示部２３の表示画面の前方には、そこから発せられる光束の一部を透過するマジックミラーシート２４が密接して設けられている。このマジックミラーシート２４は、外光成分Ｐの大部分を反射光成分Ｑとして反射し、残りの部分を透過すると共に、液晶素子部２８からの透過光成分Ｒを透過する機能を有している。
【００５５】
従って、液晶素子部２８で形成される表示画面から発せられる光束があったときには表示画面からの透過光成分Ｒによって画面を視認し得る状態とし、当該表示画面から発せられる光束が無かったときに該表示画面に対応する領域がミラー化する状態にされる。
【００５６】
なお、今まで説明した４つの形態は、表示画面がＴＶモニタやＰＣ画像モニタの例であるが、当該の表示画面は、これに限定されることなく、携帯電話機のディスプレイであってもよく、この場合には、使用中は表示視認用の画面として利用し、非使用中はコンパクトミラーとして使用することができ、携帯電話機に限らず、ポータブル型のＭＤやＣＤプレーヤの表示であってもよく本発明の対象とする表示画面は如何なる電子機器の表示画面であっても良いことは勿論である。
【００５７】
また、今までの形態は、表示画面部によって本来の表示を行わないとき（非使用時）にマジックミラーを制御して実質的な鏡面としているが、本来の表示を行っている最中に、マジックミラーを実質的な鏡面とするように制御してもよく、例えば携帯電話機の表示を着信に応じて間欠的にミラー化したり、平生のパソコン画面の表示に対して何らかのエラー表示を行うときに間欠的にミラー化する等の応用が考えられ、本発明における「ミラー化」するタイミングは全くの任意に設定することができることは勿論である。
【００５８】
また、液晶によって透過と遮蔽が制御される部材を用いずに、自発光可能な表示、または自発光しない表示に補助光源を用いた表示を行う表示画面部の前方にマジックミラーシートを形成し、表示画面部から発せられる光束が実質的にあったときに該表示画面部を視認し得る状態とし、前記表示画面部から発せられる光束が実質的になかったときに該表示画面を視認し得ない状態にして前記マジックミラーで実質的な鏡面が形成されるように構成するようにしてもよい。
【００５９】
以上の実施形態により得られた表示装置は、携帯電話機に用いるとその効果が倍増される。例えば、携帯電話機の情報や画像の表示部に本発明を適用すると、通話していない通常の状態では、表示部はミラー（鏡）として使えるので、別個に鏡を持ち歩く必要がなくなる。また、液晶部は熱に対する耐性に若干問題があるが、携帯電話機を開いた状態（液晶表示部）で太陽光が当たっても本発明の表示装置はミラー効果があるので、太陽光を反射して液晶部の温度上昇を抑えることができる。更に、液晶部を覆う形で本発明の表示装置が形成されているので、液晶部の外部からの衝撃による破損を防止することもできる。
【００６０】
図６は本発明の更に他の実施形態を示し、折畳式の携帯電話機の裏面に設けられた表示部に本発明を適用した斜視図である。
【００６１】
本実施形態の折畳式の携帯電話機は、ヒンジ機構３００を介して連結された第１本体１００と第２部材２００から成る。また、アンテナ１５０が取り付けられている。第１部材１００は、その裏面所定部Ａ（太線）に設けられた表示部１２０と着信表示部１３０を有する。表示部１２０には、時計画面や着信電話番号等が表示される。裏面所定部Ａの表示部１２０を除いた部分には、上記実施形態で説明したマジックミラー１１０が形成されている。そして、所定部Ａ上部のマジックミラー１１０の下にはＬＥＤ等の発光部材１４０が配設され、着信時にはこの発光部材１４０が発光する。
【００６２】
図７には、図６のマジックミラー１１０と発行部材１４０を含むＢ−Ｂ断面の簡略化図が示されている。図７に示すように、第１部材１００に設けられた発光部材１４０の表面側にマジックミラー１１０が形成されている。したがって、通常状態では、所定部Ａに形成されたマジックミラー１１０は略完全なミラー（鏡）として機能し、一方、着信時には発光部材１４０が発光するので、当該発光は外部から容易に視認できるようになり、ユーザは着信を確認できる。
【００６３】
図６に示す実施形態において、マジックミラー１１０の形成範囲は任意であり、表示部１２０を含む所定部Ａ全域にわたって形成しても、表示部１２０の機能を阻害しないことは、上述説明から明らかである。この場合は、通常時のミラー範囲が広がるため使用性が改善される。
【００６４】
【発明の効果】
以上の説明で明らかなように、本発明による表示装置及びそれを用いた携帯電話機は、機器表示の使用時には通常の表示画面を視認することができ、非使用時にはミラーとして機能を持たせることができ、従って、本発明よれば、ＴＶ放送の受信画像やＶＴＲの再生画像等々の本来の画像モニタとして使用することができると共に、機器本来の画像表示を行っていないときにもミラーとして有効に利用することができる表示装置を提供することができる。
【００６５】
また、携帯電話機に適用した場合には、通話していない通常の状態では、表示部はミラー（鏡）として使えるので、別個に鏡を持ち歩く必要がなくなり、太陽光を反射して液晶部の温度上昇を抑えることができるだけでなく、液晶部の外部からの衝撃による破損を防止することもできる等の格別な効果が得られる。
【図面の簡単な説明】
【図１】  本発明の第１の実施の形態による表示装置の要部断面図である。
【図２】  図１に示される「遮蔽制御部とマジックミラー」をＣＲＴ表示画面に取り付けた例の要部断面図である。
【図３】  本発明の第２の実施の形態による表示装置の要部断面図である。
【図４】  本発明の第３の実施の形態による表示装置の要部断面図である。
【図５】  本発明の第４の実施の形態による表示装置の要部断面図である。
【図６】  本発明の更に他の実施形態を示し、折畳式の携帯電話機の裏面に設けられた表示部に本発明を適用した斜視図である。
【図７】  図６のマジックミラー１１０と発行部材１４０を含むＢ−Ｂ断面の簡略化図である。
【符号の説明】
１、２，８，９，１４，１５，１９，２５，２６  ガラス基板
３、１０，１６、２７    スペーサ
４、１１，１７，２７，２８  液晶素子部
５        補助照明部材
５ａ      側面光束
５ｂ      背面光束
６        マジックミラー
７        遮蔽制御部
１２      ＣＲＴ表示部
１３      液晶式マジックミラー
１４ａ    反射電極
１５ａ、２１  透明電極
１８      ＥＬ制御式マジックミラー
２０      ＥＬ発光素子部
２２      ミラー電極
２４      マジックミラーシート
２９      照明板
３０、４０  制御部
１００    第１本体
１１０    マジックミラー
１２０    表示部
１３０    着信表示部
１４０    発光部材
１５０    アンテナ
２００    第２部材
３００    ヒンジ機構
【図１】
0004048468.tif 000002
【図２】
0004048468.tif 000003
【図３】
0004048468.tif 000004
【図４】
0004048468.tif 000005
【図５】
0004048468.tif 000006
【図６】
0004048468.tif 000007
【図７】
0004048468.tif 000008